(57)【要約】【課題】任意のメッセージを自由に設定でき、自由に設定したメッセージを、表示装置および通知装置や警報装置により通知することができる操作が簡単な、入力装置を有する射出成形機の制御装置を提供する。【解決手段】入力装置１５Ａは、文字データあるいは数値データからなる任意のメッセージを設定するメッセージ設定部１５Ａ−１と、メッセージ設定部１５Ａ−１で設定した表示装置１４に文字データあるいは数値データからなるメッセージを表示するショット数または日時を設定する表示タイミング設定部１５Ａ−２とを有し、表示タイミング設定部１５Ａ−２において設定した日時または、ショット数に到達すると、メッセージ設定部１５Ａ−１において設定した文字データあるいは数値データからなるメッセージを表示装置１４に表示する。【選択図】  図１
2004167739.tif 000002
【特許請求の範囲】
【請求項１】
文字データおよび数値データを入力する入力装置と、前記入力装置から入力された文字データおよび数値データを表示する表示装置とを有する射出成形機の制御装置において、
前記入力装置は、文字データあるいは数値データからなる任意のメッセージを設定するメッセージ設定部と、前記メッセージ設定部で設定した前記表示装置に文字データあるいは数値データからなるメッセージを表示するショット数または日時を設定する表示タイミング設定部とを有し、
前記表示タイミング設定部において設定した日時または、ショット数に到達すると、前記メッセージ設定部において設定した文字データあるいは数値データからなるメッセージを前記表示装置に表示することを特徴とする射出成形機の制御装置。
【請求項２】
前記射出成形機の制御装置は、通知音を発する通知音源、警報音を発する警報音源、通知灯、警報灯と接続されており、前記メッセージ設定部により設定した文字データあるいは数値データからなるメッセージを前記表示装置に表示する際は、通知音、警報音、通知灯、警報灯などのうち少なくとも１つを作動させることを特徴とする請求項１記載の射出成形機の制御装置。
【発明の詳細な説明】
【０００１】
【発明の属する技術分野】
本発明は、射出成形機の制御装置、特に、文字データや数値データからなるメッセージを表示する表示装置を備えた射出成形機の制御装置に関するものである。
【０００２】
【従来の技術】
従来、射出成形機の制御装置によって、射出成形機に設けられた表示装置に定期点検画面を表示させ、定期点検時期をオペレータに認知させるものが、開示されている（例えば、特許文献１）。
【０００３】
【特許文献１】
特開平１１−５８４７９号公報
【０００４】
上記特許文献１は、射出成形機全体の制御を司る制御装置を構成するマイクロコンピュータと、そのマイクロコンピュータの出力により各種モードの画面表示を行う表示装置と、入力装置と、を備えた定期点検指示機能を有する射出成形機において、マイクロコンピュータが、自身に内蔵されたショット回数（稼動回数）の計数部により、前回点検日からのショット数の累計が所定数に達したことを認知するか、または、自身に内蔵されたカレンダー／時計機能部によって前回点検日から所定日数が経過して、点検日が到来したことを認知した場合に、現時点で点検作業を済ませたか否かの点検情報を表した定期点検画面を、表示装置上に優先表示させるか、もしくは、定期点検画面の呼び出しを促すメッセージを表示させ、オペレータに定期点検を促すようにさせるというものである。
【０００５】
【発明が解決しようとする課題】
上記特許文献１に記載された射出成形機の制御装置においては、定期点検指示機能について特化された画面表示機能であるために、定期点検の指示機能以外の指示をする機能としては利用することはできないという問題点がある。
【０００６】
本発明の目的は、上記問題を解決するため、任意のメッセージを自由に設定でき、自由に設定したメッセージを、表示装置および通知装置や警報装置により通知することができる操作が簡単な、入力装置を有する射出成形機の制御装置を提供することにある。
【０００７】
【課題を解決するための手段および作用】
本発明に係る射出成形機の制御装置は、上記の目的を達成するために、次のように構成される。
【０００８】
第１の射出成形機の制御装置（請求項１に対応）は、文字データおよび数値データを入力する入力装置と、入力装置から入力された文字データおよび数値データを表示する表示装置とを有する射出成形機の制御装置において、入力装置は、文字データあるいは数値データからなる任意のメッセージを設定するメッセージ設定部と、メッセージ設定部で設定した表示装置に文字データあるいは数値データからなるメッセージを表示するショット数または日時を設定する表示タイミング設定部とを有し、表示タイミング設定部において設定した日時または、ショット数に到達すると、メッセージ設定部において設定した文字データあるいは数値データからなるメッセージを表示装置に表示することで特徴づけられる。
【０００９】
第１の射出成形機の制御装置によれば、入力装置は、文字データあるいは数値データからなる任意のメッセージを設定するメッセージ設定部と、メッセージ設定部で設定した表示装置に文字データあるいは数値データからなるメッセージを表示するショット数または日時を設定する表示タイミング設定部とを有し、表示タイミング設定部において設定した日時または、ショット数に到達すると、メッセージ設定部において設定した文字データあるいは数値データからなるメッセージを表示装置に表示するため、簡単な操作で任意のメッセージを自由に設定でき、自由に設定したメッセージを、表示装置により表示することができる。
【００１０】
第２の射出成形機の制御装置（請求項２に対応）は、上記の構成において、好ましくは射出成形機の制御装置は、通知音を発する通知音源、警報音を発する警報音源、通知灯、警報灯と接続されており、メッセージ設定部により設定した文字データあるいは数値データからなるメッセージを表示装置に表示する際は、通知音、警報音、通知灯、警報灯などのうち少なくとも１つを作動させることで特徴づけられる。
【００１１】
第２の射出成形機の制御装置によれば、メッセージ設定部により設定した文字データあるいは数値データからなるメッセージを表示装置に表示する際は、通知音、警報音、通知灯、警報灯などのうち少なくとも１つを作動させるため、作業者はメッセージが表示されることを容易に知ることができる。
【００１２】
【発明の実施の形態】
以下、本発明の好適な実施形態を添付図面に基づいて説明する。
【００１３】
図１は本発明の射出成形機の制御装置が適用される射出成形機を表すものである。１０は射出成形機である。射出成形機１０では、支持台１１の上に図示しないベッドを備え、そのベッドの上に射出装置１２と型締め装置を覆うカバー１３と、表示装置１４と入力装置１５Ａ，１５Ｂが設けられている。
【００１４】
支持台１１には、内部にマイクロコンピュータで構成されたプロセスコントローラ１６Ａが設けられている。射出装置１２は、プラスチック材料を可塑化する加熱シリンダ１７と、加熱シリンダ１７に供給されるプラスチック材料を貯蔵するホッパー１８と射出シリンダ１９とから構成される。加熱シリンダ１７の内部には、通常、スクリューが設けられている。ホッパー１８から加熱シリンダ１７の内部に供給されたプラスチック材料は、外周に巻かれたヒータ（図示せず）で加熱され、可塑化されながら計量が行われ、スクリューの回転動作で先端側に送られ、スクリューの前進でカバー１３で覆われた空間内の先端ノズル（図示せず）から射出される。射出シリンダ１９では、駆動動力源として油圧駆動装置あるいは電動駆動装置が用いられる。
【００１５】
カバー１３は、型締め装置２０を覆うためのものである。型締め装置２０は、金型２１を備え、金型２１に加熱シリンダ１７の先端ノズルから射出されたプラスチックが充填され、冷却して固化した後に、金型２１を開いて成形品を取り出す装置である。
【００１６】
表示装置１４は、モニタ２２を備えており、また、モニタ２２はパネル内蔵の入力装置１５Ａを備えている。入力装置１５Ａは、プロセスコントローラ１６Ａによって制御するための成形条件を設定する文字データや数値データを入力する装置である。入力装置１５Ａは、文字データあるいは数値データからなる任意のメッセージを設定するメッセージ設定部１５Ａ−１と、メッセージ設定部１５Ａ−１で設定した表示装置１４に文字データあるいは数値データからなるメッセージを表示するショット数または日時を設定する表示タイミング設定部１５Ａ−２とを有している。入力装置１５Ｂは、複数のスイッチを備えており、それらのスイッチにより成形条件を切り替えることができる。表示装置１４は、設定された成形条件、成形状態などを表示する装置である。
【００１７】
通常、成形条件を表示・変更などを行う場合は、モニタ２２の入力装置１５Ａを操作することにより行い、成形動作などは、入力装置１５Ｂの各種スイッチを操作して行う。本発明のメッセージ設定部１５Ａ−１と表示タイミング設定部１５Ａ−２に設定した文字データあるいは数値データを表示するアラーム設定画面も、モニタ２２に表示されるようになっている。表示装置１４と入力装置１５Ａ，１５Ｂとプロセスコントローラ１６Ａによって制御装置１６を構成している。
【００１８】
この射出成形機１０の制御装置１６は、射出成形機１０あるいは、その近くの作業者が確認できる場所に設置された通知音を発する通知音源２３、警報音を発する警報音源２４、通知灯２５、警報灯２６と接続されている。
【００１９】
また、上記の射出装置１２と型締め装置２０の各々の動作は、射出成形機１０による連続して成形品を作る稼動状態において、一定の動作の順序関係を保ちながら繰り返される。これらの動作の順序は、プロセスコントローラ１６Ａによるシーケンス制御によって与えられる。
【００２０】
図２は本発明における制御装置１６の構成を示す。制御装置１６はＣＰＵ２７と制御プログラム格納メモリ２８とメモリ２９と作業用メモリ３０からなるプロセスコントローラ１６Ａと表示装置１４と入力装置１５Ａ，１５Ｂから構成される。ＣＰＵ２７は、演算部３１と制御部３２を含む。演算部３１と制御部３２を含むＣＰＵ２７は、制御プログラム格納メモリ２８に記憶された制御プログラムやメモリ２９に記憶された成形条件等の各種情報に関するデータを取り出して、射出成形機１０の動作を制御し、射出成形による成形品の連続生産を実行し、射出成形機１０による射出成形の稼動・運転を継続する。制御プログラム格納メモリ２８は、射出成形機の動作を制御する制御プログラムなどが格納されている。メモリ２９と作業用メモリ３０は、成形条件等の文字データ・数値データが格納されている。射出成形機１０は、ＣＰＵ２７と制御プログラム格納メモリ２８とメモリ２９と作業用メモリ３０とマシンインターフェース３３を介して接続されている。入力装置１５Ａ，１５Ｂと表示装置１４は、ＣＰＵ２７と制御プログラム格納メモリ２８とメモリ２９と作業用メモリ３０とコンソールインターフェース３４を介して接続されている。
【００２１】
この他に、図示されていない、通信手段により複数台の射出成形機を管理するパーソナルコンピュータ等に接続し、外部からそのパーソナルコンピュータにより文字データや数値データの入出力を行うことも可能である。
【００２２】
図３は、本発明の射出成形機の制御装置における入力装置によってメッセージ設定部と表示タイミング設定部に設定したデータを表示するアラーム設定画面４０を表す。このアラーム設定画面４０は、入力装置１５Ａのメッセージ設定部１５Ａ−１に設定した文字データあるいは数値データからなる任意のメッセージと、表示タイミング設定部１５Ａ−２に設定したショット数または日時を表示する。作業者は、アラーム設定画面４０を表示装置１４の入力装置１５Ａを操作することにより、呼び出し、このアラーム設定画面４０を見ながら入力装置１５Ａから文字データや数値データを入力することにより、メッセージ設定と表示タイミング設定を行う。これらの設定は、例えば、図３で示すようにアラーム１〜４までの４つの異なる内容で設定できる。
【００２３】
アラーム設定画面４０の具体的な画面構成としては、アラーム１〜４まで選択するアラーム選択部４１Ａ，４１Ｂ，４１Ｃ，４１Ｄと、メッセージを設定するメッセージ表示部４２Ａ，４２Ｂ，４２Ｃ，４２Ｄと、アラームの発生条件をショット数にするか日時にするかを選択するショット数／日時の選択部４３Ａ，４３Ｂ，４３Ｃ，４３Ｄと、ショット数／日時の選択部４３Ａ，４３Ｂ，４３Ｃ，４３Ｄから選択したアラーム発生条件において、ショット数を選択した場合に入力を行うショット数設定部４４Ａ，４４Ｂ，４４Ｃ，４４Ｄと、日時を選択した場合に入力を行う日時入力設定部４５Ａ，４５Ｂ，４５Ｃ，４５Ｄとを備え、ショット数／日時の選択部４３Ａ，４３Ｂ，４３Ｃ，４３Ｄにおいてショット数を選択した場合に、アラーム発生までの残りショット数を表示する残ショット数表示部４６Ａ，４６Ｂ，４６Ｃ，４６Ｄを備える。アラーム設定時には、アラーム選択部４１Ａ，４１Ｂ，４１Ｃ，４１Ｄからアラーム番号を選択し、ショット数／日時の選択部４３Ａ，４３Ｂ，４３Ｃ，４３Ｄからアラーム発生条件を選択する必要があり、アラーム発生条件としては、日時または成形ショット数の、いずれかから選択できるようになっている。
【００２４】
次に、実際にアラーム設定画面を表示させて入力装置１５Ａからメッセージ設定部１５Ａ−１と表示タイミング設定部１５Ａ−２にメッセージとショット数あるいは日時を入力するときの動作を図４のフローチャートを用いて説明する。
【００２５】
まず、入力装置１５Ａを操作し、アラーム設定画面４０上に表示されるカーソルを移動させることにより、アラーム選択部４１Ａ，４１Ｂ，４１Ｃ，４１Ｄからアラーム１〜４のうちいずれか１つを選択する（ステップＳＴ１０）。アラーム１〜４のうちいずれか１つを選択すると、メッセージ表示部４２Ａ，４２Ｂ，４２Ｃ，４２ＤのうちステップＳＴ１０で選択したアラームに対応するメッセージ表示部にカーソルが移動し、そのカーソルが移動したメッセージ表示部に入力装置１５Ａからアラーム設定したい文字データあるいは数値データからなるメッセージを入力する（ステップＳＴ１１）。これにより、メッセージ設定部１５Ａ−１にメッセージが設定される。メッセージ設定部１５Ａ−１に設定されたメッセージはメモリ２９に格納されて保存される（ステップＳＴ１２）。
【００２６】
次に、入力装置１５Ａを操作し、アラーム設定画面４０上に表示されるカーソルをショット数／日時選択部４３Ａ，４３Ｂ，４３Ｃ，４３Ｄのうちのアラーム選択部で選択したアラーム番号に対応するところに移動させ、アラーム発生条件をショット数か日時かのうちいずれかを選択する（ステップＳＴ１３）。また、この選択操作により、制御プログラム格納メモリ２８からタイマープログラムが呼び出され（ステップＳＴ１４）、タイマーが作動する。アラーム発生条件をショット数として選択した場合（ステップＳＴ２１）、カーソルは、ショット数設定部４４Ａ，４４Ｂ，４４Ｃ，４４Ｄのうちのアラーム番号に対応するところに移動し、その状態で入力装置１５Ａから、アラーム発生ショット数を数値データを入力することにより設定する（ステップＳＴ２２）。これにより、表示タイミング設定部１５Ａ−２に数値データ（ショット数データ）が設定される。表示タイミング設定部１５Ａ−２に設定されたショット数データは、メモリ２９に格納される（ステップＳＴ３３）。
【００２７】
また、ステップＳＴ２０でアラーム発生条件を日時で選択した場合も（ステップＳＴ３１）、カーソルは、日時入力設定部４５Ａ，４５Ｂ，４５Ｃ，４５Ｄのうちアラーム番号に対応するところに移動し、その状態で、入力装置１５Ａによりアラーム発生日時を数値データを入力することにより設定する（ステップＳＴ３２）。これにより、表示タイミング設定部１５Ａ−２に日時が設定される。設定された日時データはメモリ２９に格納される。上記双方の入力が終了すると、設定内容を確認し（ステップＳＴ４０）、入力項目にもれがなければ、次の動作を開始する。入力項目にもれがある場合は、ステップＳＴ１０に戻る。
【００２８】
図５は、メモリ２９の記憶領域の割り振りの一例を示す。例えば、メモリ２９には、既成のものとして記憶領域ＡＡＡＡ−ＡＡＡＥ等が確保されている。記憶領域ＡＡＡＡ−ＡＡＡＣは、生産完了に関するデータを記憶する領域であり、生産ショット数を達成すると、その旨をアラームにより通知するために用いるデータが記憶されている。すなわち、記憶領域ＡＡＡＡには、生産完了のためのアラーム番号が記憶され、記憶領域ＡＡＡＢには、生産完了ショット数が記憶され、記憶領域ＡＡＡＣは生産完了メッセージが記憶されている。また、記憶領域ＡＡＡＤ−ＡＡＡＥは、成形機の安全ドアに関するデータを記憶する領域であり、安全ドアが開いたときに、安全ドアが開いていることをアラームによって通知するときに用いるデータが記憶されている。すなわち、記憶領域ＡＡＡＤには、安全ドアを開いたときに用いるアラーム番号が記憶されており、記憶領域ＡＡＡＥには、安全ドアが開いたときに表示されるメッセージが記憶されている。これらの記憶領域は、ある一定の動作に対して発生するアラームにより通知する固有のメッセージに関するデータを記憶している。
【００２９】
また、本発明の射出成形機の制御装置においては、メモリ２９は、記憶領域ＦＦＡＡ−ＦＦＡＤなどを有する。記憶領域ＦＦＡＡは、アラーム選択部４１Ａ，４１Ｂ，４１Ｃ，４１Ｄで選択したアラーム番号を格納し、記憶領域ＦＦＡＢは、アラーム発生条件が格納され、記憶領域ＦＦＡＣは、ショット数設定部４４Ａ，４４Ｂ，４４Ｃ，４４Ｄや、日時入力設定部４５Ａ，４５Ｂ，４５Ｃ，４５Ｄに入力され、表示タイミング設定部１５Ａ−２に設定されたデータを格納する。また、記憶領域ＦＦＡＤは、メッセージ設定部１５Ａ−１に設定されたメッセージを格納する。
【００３０】
次に、アラーム設定画面４０を用いての設定後の動作を図６のフローチャートにより説明する。アラーム設定画面４０を用いての設定が終了したら、ステップＳＴ１４で制御プログラム格納メモリ２８から呼び出されたタイマープログラムは、ステップＳＴ２０のアラーム発生条件の選択でショット数を選択した場合には、成形機の動作を制御する制御プログラムにより、カウントされるショット数をタイマープログラムにおいて、逐次読み取ることにより制御し、日時を選択した場合には、タイマープログラムにおいて、日時を逐次監視することにより制御を行っている。
【００３１】
タイマープログラムは、成形機のショット数や、現日時を、作業メモリ３０を介して、逐次監視し（ステップＳＴ６０）、タイムアップあるいはショット数が設定値に達すると、メモリ２９から記憶領域ＦＦＡＤに記憶されたメッセージのデータを呼び出し（ステップＳＴ７０）、アラームを発生させる（ステップＳＴ８０）。アラーム発生時には、呼び出されたメッセージを表示装置１４のモニタ２２に表示し（ステップＳＴ８１）、アラーム音などを発する通知音源、警報音源、通知灯、警報灯など通知装置や警報装置のうち少なくとも１つを作動させる（ステップＳＴ８２）。そして、プログラムは終了する（ステップＳＴ９０）。
【００３２】
【発明の効果】
以上の説明で明らかなように本発明によれば、次の効果を奏する。
【００３３】
入力装置は、文字データあるいは数値データからなる任意のメッセージを設定するメッセージ設定部と、メッセージ設定部で設定した表示装置に文字データあるいは数値データからなるメッセージを表示するショット数または日時を設定する表示タイミング設定部とを有し、表示タイミング設定部において設定した日時または、ショット数に到達すると、メッセージ設定部において設定した文字データあるいは数値データからなるメッセージを表示装置に表示するため、簡単な操作で任意のメッセージを自由に設定でき、自由に設定したメッセージを、表示装置および通知装置や警報装置により通知することができる。
【００３４】
任意のアラーム（メッセージと表示タイミング）設定用のメモリを新たに設けたことにより、アラーム（メッセージと表示タイミング）内容を任意に設定できるようになったために、作業およびメンテナンスの管理の利便性が大幅に向上する。また、直接成形機に関係ないことでも入力することもできる。さらに、音で作業者に知らせると共に、そのアラーム内容をメッセージによって表示するために、作業者がアラーム設定内容を忘れていたりした場合にも、安心であり、メンテナンスを怠ったりする可能性がなくなる。
【図面の簡単な説明】
【図１】本発明の射出成形機の制御装置が適用される射出成形機の構成図である。
【図２】本発明における射出成形機の制御装置の構成図である。
【図３】アラーム設定画面を示す図である。
【図４】メッセージとショット数・日時を設定するときの手順のフローチャートである。
【図５】メモリ構成図である。
【図６】メッセージとショット数・日時設定後の動作を表すフローチャートである。
【符号の説明】
１０          射出成形機
１１          支持台
１２          射出装置
１３          カバー
１４          表示装置
１５Ａ，１５Ｂ  入力装置
１５Ａ−１    メッセージ設定部
１５Ａ−２    表示タイミング設定部
１６          制御装置
１６Ａ        プロセスコントローラ
１７          加熱シリンダ
１８          ホッパー
１９          射出シリンダ
２０          型締め装置
２１          金型
２２          モニタ
【図１】
2004167739.tif 000003
【図２】
2004167739.tif 000004
【図３】
2004167739.tif 000005
【図４】
2004167739.tif 000006
【図５】
2004167739.tif 000007
【図６】
2004167739.tif 000008